(57)【要約】      （修正有）【課題】通糸の組み付け操作が簡単で、組み付け時間が短い、もじり織り装置の昇降そうこうへの通糸の解除可能な接続用の挟み装置を提供する。【解決手段】もじり織り装置１の昇降そうこう３、５への通糸１０の解除可能な接続用の挟み装置２０であって、解除可能な接続は、挟み接続として構成されており、挟み装置は、挟みくさびと、昇降そうこうの端部に配置されているくさび受け入れ装置２２とを有しており、くさび受け入れ装置は、変位可能に挟みくさびを昇降そうこうの長さ方向に受け入れ、通糸は、くさび受け入れ装置と挟みくさびとの間で挟むように把持可能であって、挟みくさびを挟み受け入れ装置内で固定する手段が設けられている、挟み装置。【選択図】図１
2019218673.tif 000002
【特許請求の範囲】
【請求項１】
もじり織り装置（１）の昇降そうこう（３、５）への通糸（１０）の解除可能な接続用の挟み装置（２０）であって、解除可能な接続は、挟み接続として構成されており、挟み装置（２０）は、挟みくさび（２４）と、昇降そうこう（３、５）の端部に配置されているくさび受け入れ装置（２２）とを有しており、くさび受け入れ装置（２２）は、変位可能に挟みくさび（２４）を昇降そうこう（５、７）の長さ方向に受け入れ、通糸（１０）は、くさび受け入れ装置（２２）と挟みくさび（２４）との間で挟むように把持可能であって、挟みくさび（２４）を挟み受け入れ装置（２２）内で固定する手段が設けられていることを特徴とする、挟み装置（２０）。
【請求項２】
挟みくさび（２４）は、有利に歯付きに構成されている通糸（１０）用の第１の接触表面を有することを特徴とする、請求項１に記載の挟み装置（２０）。 
【請求項３】
通糸（１０）用の第１の接触表面（２８）は、垂直に対して角度αで延びていることを特徴とする、請求項２に記載の挟み装置（２０）。 
【請求項４】
くさび受け入れ装置（２２）は、第１の接触表面（２８）にほぼ平行に延びている第２の接触表面（３０）を有し、第１及び第２の接触表面（２８、３０）の間の間隔をテーパー状にしながら挟みくさび（２４）の変位時に通糸（１０）を挟むように把持されることを特徴とする、請求項３に記載の挟み装置（２０）。 
【請求項５】
挟みくさび（２４）をくさび受け入れ装置（２２）内で固定する手段は、挟みくさび（２４）に作用するばね（３２）を有していることを特徴とする、請求項１から４のいずれか１項に記載の挟み装置（２０）。 
【請求項６】
ばね（３２）の力は、通糸（１０）の挟み接続が維持されるように、挟みくさび（２４）に昇降そうこう（３、５）の長さ方向に作用することを特徴とする、請求項５に記載の挟み装置（２０）。 
【請求項７】
ばね（３２）は、圧縮ばねとして構成されていることを特徴とする、請求項５または６に記載の挟み装置（２０）。 
【請求項８】
ばね（３２）は、らせんばねとして構成されていることを特徴とする、請求項５から７のいずれか１項に記載の挟み装置（２０）。 
【請求項９】
挟みくさび（２４）は、もじり織り装置（１）の長さ方向に案内装置（３６）によって挟み受け入れ装置（２２）内で案内されることを特徴とする、請求項５から８のいずれか１項に記載の挟み装置（２０）。 
【請求項１０】
案内装置（３６）は、対応するように構成されている溝（４０）内でガイドされる少なくとも１個のレール状の突出部（３８）を有することを特徴とする、請求項９に記載の挟み装置（２０）。 
【請求項１１】
くさび受け入れ装置（２２）は、昇降そうこう（３、５）の一部として脚（２６）を有し、脚（２６）はばね（３２）用の案内穴を有することを特徴とする、請求項１から１０のいずれか１項に記載の挟み装置（２０）。 
【請求項１２】
案内穴（３４）は、窓（３５）を有することを特徴とする、請求項１１に記載の挟み装置（２０）。 
【請求項１３】
請求項１から１２の１項または２項以上に記載の装置を有するジャカード機械。
【発明の詳細な説明】
【技術分野】
【０００１】
本発明は、もじり織り装置の昇降そうこうへの通糸の解除可能な接続用の挟み装置に関し、解除可能な接続は、挟み接続として構成されている。
【背景技術】
【０００２】
もじり織り装置は、ジャカード機械についての従来技術からも十分に知られている。ジャカード機械用のそのようなもじり織り装置は、２個の昇降そうこう及び昇降そうこうが交互に共に移動させる半そうこうを有しており、例えば特許文献１に記載されている。昇降そうこうの位置での通糸の締結は、この引用文献にも見ることができる。昇降そうこうは、その上側の端部にアイレットを有しており、通糸はアイレットに従来の本結びによって接続される。
【０００３】
最初に示した種類の挟み装置は、特許文献２から知られており、通糸は、輪の形態で昇降そうこうの一部である、弾性結合部材の上側の挟み開口を通して案内される。通糸の輪を有している２個の端部は、挟み接続を維持するように結合部材上に押されている金属スリーブに通されている。通糸の長さの調整は、金属スリーブによる結合部材上での挟み効果を解除することによって行われる。
【先行技術文献】
【特許文献】
【０００４】
【特許文献１】欧州特許第２，２３６，６５５号明細書
【特許文献２】欧州特許第０，９１５，１９５号明細書
【発明の概要】
【発明が解決しようとする課題】
【０００５】
上記の従来技術の通糸の組み付けは、通糸の輪状の端部をガイドするために設計がわずかに複雑であって、それによって組み付け時間が増加する。
【０００６】
そのため、本発明の根本的な目的には、この点における解決策を提供することが含まれている。
【課題を解決するための手段】
【０００７】
本発明によれば、挟み装置は、挟みくさび及び昇降そうこうの端部に配置されているくさび受け入れ装置を有しており、くさび受け入れ装置は、昇降そうこうの長さ方向に挟みくさびを変位可能に受け入れ、通糸は、くさび受け入れ装置と挟みくさびとの間に挟むように把持され、挟みくさびをくさび受け入れ装置内に固定する手段が設けられているという、本目的を達成することが提案されている。
【０００８】
このことから、一方の挟みくさびと他方のくさび受け入れ装置との間で、くさび受け入れ装置内の挟みくさびの位置に依存して、一方の挟みくさびと他方のくさび受け入れ装置との間に通糸が通過する隙間が形成されることが明らかになる。これで、挟みくさびをくさび受け入れ装置に対して変位させることによって、一方の挟みくさびと他方のくさび受け入れ装置との間で、通糸を挟むように把持可能である。挟み接続が維持されることを保証するように、挟みくさびをくさび受け入れ装置内で挟み位置に固定する手段が設けられている。
【０００９】
本発明の有利な特徴及び実施形態は、従属請求項に由来する。
【００１０】
したがって、挟みくさびは、歯付きにされていることが有利な通糸用の第１の接触表面を特に備えている。通糸用の第１の接触表面は、垂直に対して、つまり、もじり織り装置の長さ方向の軸線に対して例えば１０°と２０°との間の角度αで延びていることが有利である。これに対応して、くさび受け入れ装置は、第１の接触表面にほぼ平行に延びている第２の接触表面を有し、第１及び第２の接触表面の間の間隔をテーパー状にしながら挟みくさびの変位時に通糸を挟むように把持されるようにしている。
【００１１】
挟みくさびをくさび受け入れ装置内に固定するための手段が設けられていることを他の点において既に示している。この手段は、挟みくさびに作用するばねを有していることが有利である。これは、挟みくさびがばねの荷重の下にあることを意味している。したがって、ばねの力は、通糸用の挟み接続が維持されるように、挟みくさびに対して昇降そうこうの長さ方向に作用している。しかし、ばねの力は、挟み力として決定的であることも意味している。この点において、本発明のさらなる特徴において、ばねは、圧縮ばねとして、特に有利には、らせんばねとして構成することができる。しかしながら、実際には、通糸に対する自己係止も発生し；これは、通糸が第１及び第２の接触表面の位置にあって、通糸が上向きの方向に引っ張られる場合である。
【００１２】
しかし、挟みくさびを部品受け入れ装置内に固定するには、上下に並んで配置されている一連の穴を挟みくさびに設け、挟みくさびを挟み受け入れ装置内に挟んだ後で最後に見える穴を通してピンを案内するようにして、挟みくさびの位置を挟み受け入れ装置に対して機械的に固定するように通糸を固定することも考えられる。
【００１３】
挟みくさびがくさび受け入れ装置内で案内装置によってもじり織り装置の長さ方向に案内されるようにくさび受け入れ装置内での挟みくさびの定められた移動を保証することが有利である。ここで案内装置は、対応して形成されている溝内で案内される少なくとも１個のレール状の突出部を有している。ここでは、レール状の突出部は挟みくさびに配置され、それに対応して形成されている溝はくさび受け入れ装置内にある。逆の場合も可能である。
【００１４】
くさび受け入れ装置は、昇降そうこうに接続するための脚を有している。脚は、ばね用のガイドを有しており、ガイドは、案内穴として構成されていることが有利である。案内穴は、ばねが挟みくさびの挿入時にばねを圧縮できるようにアクセス可能な長さ方向に延びている窓を有することが有利である。脚は、例えば、接着によって昇降そうこうに接続されている独立した要素とすることが可能であるが；昇降そうこうと共に１つの部品として作ることも可能である。
【００１５】
本発明の対象は、請求項１から１２の１項または２項以上に記載の装置を有するジャカード機械でもある。
【００１６】
本発明を図面を参照しながら例としてより詳細に説明する。
【図面の簡単な説明】
【００１７】
【図１】図１は、挟み装置が昇降そうこうの上端に配置されているもじり織り装置を透視表示で示している。
【図２】図２は、同様に透視図において、図１の挟み装置を拡大表示で示している。
【図３】図３は、挟み装置の狭い側の図を示している。
【図４】図４は、図３の断面ＩＶ−ＩＶの図を示している。
【図５】図５は、挟み装置の側面図を示している。
【図６】図６は、通糸を挟み装置に通すことが可能な位置にある挟み装置を示している。
【図７】図７は、図６の挟みくさびの位置にある挟み装置の上方からの図を示している。
【図８】図８は、挟みくさびに作用しているばねを有している挟み装置を分解表示で示している。
【発明を実施するための形態】
【００１８】
もじり織り装置１は、もじり織りを形成するように、各々が昇降そうこう７と交互に同期する２つの昇降そうこう３及び５を有している。原理は、例えば、この点について、特許文献１を参照することによって理解される。ここで、本発明の対象は、通糸１０のそれぞれの昇降そうこう３、５への接続である。挟み装置２０がこの目的のために設けられており、挟み装置２０は、くさび受け入れ装置２２及びくさび受け入れ装置２２によって受け入れられる挟みくさび２４を有している。
【００１９】
図２は、拡大表示で挟み装置を示しており；挟みくさびは、歯付き構成２９を示している第１の接触表面２８を有していることも本明細書において既に認識されている。通糸１０は、第１の接触表面２８に接触していることも認識できる。挟み装置２０の構成を、ここで図３から図７に詳細を示す。したがって、垂直に対して約１０°から２０°の角度で延びていることが有利な挟みくさび２４の第１の接触表面２８に対応して、くさび受け入れ装置２２は、対応している第２の接触表面３０を有しており、第１の接触表面２８と第２の接触表面３０との間に通糸１０が通過する間隔があることが特に図４から認識できる。同様に脚２６が挟み装置２０の一部であることが認識できる。脚２６は、圧縮ばね３２を受け入れる案内穴３４を有している。図示の脚２６内の圧縮ばね３２は、挟みくさび２４がばね３２の荷重の下で第１と第２の接触表面２８、３０との間の隙間を最小にして、通糸１０の挟み接続を実現するように下方から挟みくさびに作用する。案内穴３４は、とがった物体でばね３２に到達可能な長い窓３５を有している。これは、ばね３２を圧縮可能な場合である。
【００２０】
図６は、通糸を矢印４２に従って通すくさび受け入れ装置２２内の挟みくさび２４の位置を詳細に示している。これは、この場合、ばね３２が脚２６の案内穴３４内で圧縮されていることを意味している。図７は、図６の挟み装置２０の上方からの図を示しており；挟みくさび２４は、くさび受け入れ装置２２内で案内装置３６によって案内されることがここで認識できる。案内装置３６は、詳細には、挟みくさびの両側に配置されており、くさび受け入れ装置２２内の対応している溝４０内を通るレール状の突出部３８を有している。ばね３２用の案内穴３４は、脚２６内で同様に認識できる。挟みくさび２４の歯付きの第１の接触表面２８も同様に認識できる。
【００２１】
図８は、挟み装置２０を分解表示で示しており；挟み装置２０の脚が、それぞれの昇降そうこう３、５に下側の端部の位置で例えば接着によって接続されていることを、再び特にここで認識できる。
【００２２】
挟み装置２０の組み立ては、ここで、挟みくさび２４がくさび受け入れ装置２２内に下方から押し込まれ、ばねが案内穴３４内に事前に導入されている状態である。案内穴３４は、窓３５を有しており、ばねは、挟みくさびの導入時に、例えば、ねじ回しによって、窓３５を通して圧縮可能である。通糸１０を通すために、挟みくさび２４は、例えば、挟みくさび２４の上側が、くさび受け入れ装置２２の上側になるまで、くさび受け入れ装置２２内で下向きにここで押される。それから、通糸は、上方から、図６の矢印４２に従って通される。挟みくさびが上から作用している力から解放されると、ばね３２の力によって上向きに跳ね返り、その度合いで、通糸１０が挟み接続される。
【符号の説明】
【００２３】
１  もじり織り装置
３  昇降そうこう
５  昇降そうこう
７  半そうこう
１０  通糸
２０  挟み装置
２２  くさび受け入れ装置
２４  挟みくさび
２６  脚
２８  第１の接触表面
２９  第１の接触表面の歯付き構成
３０  第２の接触表面
３２  ばね
３４  案内穴
３５  案内穴内の窓
３６  案内装置
３８  レール状の突出部
４０  突出部用の溝
４２  矢印
α  第１及び第２の接触表面の垂直に対する角度
【図１】
2019218673.tif 000003
【図２】
2019218673.tif 000004
【図３】
2019218673.tif 000005
【図４】
2019218673.tif 000006
【図５】
2019218673.tif 000007
【図６】
2019218673.tif 000008
【図７】
2019218673.tif 000009
【図８】
2019218673.tif 000010
【外国語明細書】
2019218673000001.pdf